(57)【要約】【課題】梱包物の上面の四隅部において梱包材の被覆片同士が重なることによる隙間ないし段差を小さくし、梱包体を堆積したときに被梱包物が撓むことによって凹反りの癖がつくことを抑制する。【解決手段】一対の長辺被覆部１１と一対の短辺被覆部１２とを有する梱包材１０であり、各長辺被覆部は、被梱包物の長辺側面を被覆する長辺側面被覆片１１ａと、被梱包物の上下面１ｃ，１ｄの各一部を被覆する長辺上面被覆片１１ｂおよび長辺下面被覆片１１ｃとからなり、各短辺被覆部は、被梱包物の短辺側面を被覆する短辺側面被覆片１２ａと、被梱包物の上下面の各一部を被覆する短辺上面被覆片１２ｂおよび短辺下面被覆片１２ｃとからなる。長辺上面被覆片と短辺上面被覆片を被梱包物の上面に沿って折り返したときに、被梱包物上面の四隅部でこれらが重なることなく端縁同士が略接するように形成される。【選択図】図１
2018043787.tif 000002
【特許請求の範囲】
【請求項１】
略直方体形状の被梱包物を梱包する梱包材であって、一対の長辺被覆部と一対の短辺被覆部とを有し、各長辺被覆部は被梱包物の長辺側面を被覆する長辺側面被覆片と該長辺側面被覆片から被梱包物の上下面に沿って折り返して上下面の各一部を被覆する長辺上面被覆片および長辺下面被覆片とからなり、各短辺被覆部は被梱包物の短辺側面を被覆する短辺側面被覆片と該短辺側面被覆片から被梱包物の上下面に沿って折り返して上下面の各一部を被覆する短辺上面被覆片および短辺下面被覆片とからなるものにおいて、長辺上面被覆片と短辺上面被覆片を被梱包物の上面に沿って折り返したときに、被梱包物上面の四隅部でこれらが重なることなく端縁同士が略接するように形成されることを特徴とする梱包材。
【請求項２】
長辺上面被覆片および短辺上面被覆片がいずれも平面視台形状を有することを特徴とする、請求項１記載の梱包材。
【請求項３】
長辺上面被覆片が被梱包物の長辺と略同一の長さを有すると共に短辺上面被覆片が被梱包物の短辺両側における長辺上面被覆片の折り返し長さ分だけ被梱包物の短辺より短い長さを有し、または、短辺上面被覆片が被梱包物の短辺と略同一の長さを有すると共に長辺上面被覆片が被梱包物の長辺両側における短辺上面被覆片の折り返し長さ分だけ被梱包物の長辺より短い長さを有することを特徴とする、請求項１記載の梱包材。
【請求項４】
長辺下面被覆片と短辺下面被覆片を被梱包物の下面に沿って折り返したときに、被梱包物下面の四隅部でこれらが重なり合うように形成されることを特徴とする、請求項１ないし３のいずれか記載の梱包材。
【発明の詳細な説明】
【技術分野】
【０００１】
本発明は、床材などの板材を複数枚積層した状態で梱包するのに適した梱包材に関する。
【背景技術】
【０００２】
運搬や保管に便利なように、床材などの板材を複数枚積層した状態で梱包材によって梱包し、結束バンドなどで結束して梱包体とすることが従来より慣用されている。たとえば、下記特許文献１に提案されている。この梱包材１０は、図７および図８に示すように、被梱包物（板材１の積層体）の長辺１ａ，１ａ（図８には現れない）を被覆する一対の長辺被覆部１１，１１と、被梱包物の短辺１ｂ，１ｂを被覆する一対の短辺被覆部１２，１２とを有し、各長辺被覆部１１は被梱包物の長辺側面を被覆する長辺側面被覆片１１ａと該長辺側面被覆片から被梱包物の上下面１ｃ，１ｄに沿って折り返して上下面の各一部を被覆する長辺上面被覆片１１ｂおよび長辺下面被覆片１１ｃとからなり、各短辺被覆部１２は被梱包物の短辺側面を被覆する短辺側面被覆片１２ａと該短辺側面被覆片から被梱包物の上下面１ｃ，１ｄに沿って折り返して上下面の一部を被覆する短辺上面被覆片１２ｂおよび短辺下面被覆片１２ｃとからなる。長辺上面被覆片１１ｂと短辺上面被覆片１２ｂはいずれも被梱包物上面１ｃの一部を被覆するにすぎず、これらの間に形成される開放部分１３に被梱包物上面１ｃ（または最上段の板材１の上に被せた保護シート）が露出している。図示されないが、被梱包物下面１ｄにおいても、同様である。この梱包材１０で梱包した状態で結束バンド１４で数ヶ所を結束して、図７および図８に示す梱包体２０が得られる。
【先行技術文献】
【特許文献】
【０００３】
【特許文献１】特開２０１２−０９６８１９号公報
【発明の概要】
【発明が解決しようとする課題】
【０００４】
特許文献１記載の梱包材１０は、長辺上面被覆片１１ｂ、長辺下面被覆片１１ｃ、短辺上面被覆片１２ｂおよび短辺下面被覆片１２ｃがいずれも平面視長方形状を有するので、被梱包物上面１ｃの四隅部において、長辺上面被覆片１１ｂと短辺上面被覆片１２ｂとが重なり合った状態となり、該重なり合った厚み（ｔ）分の隙間１５が生じる。同様に、被梱包物下面１ｄの四隅部においても、長辺下面被覆片１１ｃと短辺下面被覆片１２ｃとが重なり合った状態となり、該重なり合った厚み（ｔ）分の隙間１６が生じる。
【０００５】
このような状態の梱包体２０を堆積すると、図９に示すように、被梱包物上面１ｃの四隅角部において、下段の梱包体２０Ａの長辺上面被覆片１１ｂと短辺上面被覆片１２ｂとの重なり合いによる隙間１５と、上段の梱包体２０Ｂの長辺下面被覆片１１ｃと短辺下面被覆片１２ｃとの重なり合いによる隙間１６とが上下に整列して２倍の厚み（２ｔ）分の段差となる。このようにして多数の梱包体が堆積されると、堆積数だけ増幅された段差が生じ、中央部分が自重により撓んでしまうという問題があった。特に、被梱包物が床材などの長尺状の板材（またはその積層体）である場合、梱包体を堆積したときに、長尺材の長さ方向の中央部分が大きく撓みやすくなり、梱包されている板材に凹反りの癖がつきやすくなり、施工作業が困難になり、商品価値が低下する。
【０００６】
したがって、本発明が解決しようとする課題は、被梱包物の上面の四隅部において梱包材の被覆片同士が重なることによる隙間ないし段差を小さくし、梱包体を堆積したときに被梱包物が撓むことによって凹反りの癖がつくことを抑制することである。
【課題を解決するための手段】
【０００７】
この課題を解決するため、請求項１に係る本発明は、略直方体形状の被梱包物を梱包する梱包材であって、一対の長辺被覆部と一対の短辺被覆部とを有し、各長辺被覆部は被梱包物の長辺側面を被覆する長辺側面被覆片と該長辺側面被覆片から被梱包物の上下面に沿って折り返して上下面の各一部を被覆する長辺上面被覆片および長辺下面被覆片とからなり、各短辺被覆部は被梱包物の短辺側面を被覆する短辺側面被覆片と該短辺側面被覆片から被梱包物の上下面に沿って折り返して上下面の各一部を被覆する短辺上面被覆片および短辺下面被覆片とからなるものにおいて、長辺上面被覆片と短辺上面被覆片を被梱包物の上面に沿って折り返したときに、被梱包物上面の四隅部でこれらが重なることなく端縁同士が略接するように形成されることを特徴とする。
【０００８】
請求項２に係る本発明は、請求項１記載の梱包材であって、長辺上面被覆片および短辺上面被覆片がいずれも平面視台形状を有することを特徴とする。
【０００９】
請求項３に係る本発明は、請求項１記載の梱包材であって、長辺上面被覆片が被梱包物の長辺と略同一の長さを有すると共に短辺上面被覆片が被梱包物の短辺両側における長辺上面被覆片の折り返し長さ分だけ被梱包物の短辺より短い長さを有し、または、短辺上面被覆片が被梱包物の短辺と略同一の長さを有すると共に長辺上面被覆片が被梱包物の長辺両側における短辺上面被覆片の折り返し長さ分だけ被梱包物の長辺より短い長さを有することを特徴とする。
【００１０】
請求項４に係る本発明は、請求項１ないし３のいずれか記載の梱包材であって、長辺下面被覆片と短辺下面被覆片を被梱包物の下面に沿って折り返したときに、被梱包物下面の四隅部でこれらが重なり合うように形成されることを特徴とする。
【発明の効果】
【００１１】
本発明によれば、梱包材で被梱包物を梱包したときに、被梱包物の上面における四隅の角部で、梱包材の被覆片同士が重ならないので、梱包体を複数堆積しても、特許文献１記載の従来技術のように大きな段差が生じない。したがって、梱包体の中央部分が自重によって撓むことを抑制し、板材などの被梱包物に凹反りの癖がつくことを防止ないし抑制することができる。
【００１２】
本発明による梱包材は、床材などの板材を複数枚積層した状態で梱包するのに特に適している。
【図面の簡単な説明】
【００１３】
【図１】本発明の一実施形態（実施例１）による梱包材で板材（床材）積層体を梱包した梱包体を示す斜視図である。
【図２】この梱包体の長さ方向の一端部を示す部分平面図である。
【図３】図２中Ａ−Ａ断面図である。
【図４】この梱包体を堆積した状態のＡ−Ａ断面図である。
【図５】本発明の他実施形態（実施例２）による梱包材で板材（床材）積層体を梱包した梱包体の図３と同様の部分平面図である（結束バンドは図示省略）。
【図６】本発明の他実施形態（実施例３）による梱包材で板材（床材）積層体を梱包した梱包体の図３と同様の部分平面図である（結束バンドは図示省略）。
【図７】従来技術による梱包材で板材（床材）積層体を梱包した梱包体を示す図１と同様の斜視図である。
【図８】この梱包体の図３と同様の断面図である。
【図９】この梱包体を堆積した状態の図４と同様の断面図である。
【発明を実施するための最良の形態】
【００１４】
以下、添付図を参照して、本発明の幾つかの実施形態による梱包材およびこの梱包材で複数枚の板材（床材）を積層した板材（床材）積層体を梱包した梱包体について説明する。これらの図において、特許文献１記載の従来技術による梱包材および梱包体（図７〜図９）と同一または対応する部分・要素・部材などについては、同一の符号が付されている。
【実施例１】
【００１５】
図１ないし図４に示す実施形態（実施例１）の梱包材１０は、特許文献１記載の従来技術による梱包材１０と略同様の構成を有するものであって、一対の長辺被覆部１１，１１と、一対の短辺被覆部１２，１２とを有してなる。各長辺被覆部１１は、被梱包物（板材１の積層体）の長辺１ａ（図３には現れない）側面を被覆する長辺側面被覆片１１ａと、長辺側面被覆片１１ａから被梱包物の上下面１ｃ，１ｄに沿って折り返して上下面１ｃ，１ｄの各一部を被覆する長辺上面被覆片１１ｂおよび長辺下面被覆片１１ｃとからなる。各短辺被覆部１２は、被梱包物の短辺１ｂ側面を被覆する短辺側面被覆片１２ａと、短辺側面被覆片１２ａから被梱包物の上下面１ｃ，１ｄに沿って折り返して上下面の一部を被覆する短辺上面被覆片１２ｂおよび短辺下面被覆片１２ｃとからなる。長辺上面被覆片１１ｂと短辺上面被覆片１２ｂはいずれも被梱包物上面１ｃの一部を被覆するにすぎず、これらの間に形成される開放部分１３に被梱包物上面１ｃ（または最上段の板材１の上に被せた保護シート）が露出している。図示されないが、被梱包物下面１ｄにおいても、同様である。梱包材１０で梱包した状態で結束バンド１４で数ヶ所を結束して、図１〜図３に示す梱包体２０が得られる。
【００１６】
この実施形態による梱包材１０では、長辺上面被覆片１１ｂおよび短辺上面被覆片１２ｂは、いずれも、その長さ方向両端が約４５度の角度でカットされ、平面視台形状を有するものとして形成されており、したがって、これらを被梱包物の上面１ｃに沿って折り返したときに、四隅部でこれらが重なることなく、これらの端縁同士が略接した状態となる。このため、特許文献１記載の従来技術による場合のような隙間１５は形成されず、梱包体２０Ａ，２０Ｂを堆積したときに生ずる段差が小さくなり、梱包体の撓み量が小さくなるので、梱包されている板材１に凹反りの癖がつきにくくなる。
【００１７】
なお、長辺下面被覆片１１ｃおよび短辺下面被覆片１２ｃは長さ方向両端でカットされず、それぞれ被梱包物の長辺および短辺と略同一長さ延長しているので、梱包体２０の下面においては、四隅部でこれらの端面同士が重なり合っている。これにより、梱包されている板材１が梱包材１０の下面から抜け落ちてしまうことを防止している。したがって、梱包体２０の下面の四隅部においては、これら被覆片１１ｃ，１２ｃ同士の重なり合いによる隙間１６が生ずるが、特許文献１記載の従来技術によるときは、下段の梱包体２０Ａの上面四隅部に生ずる隙間１５と上段の梱包体２０Ａの下面四隅部に生ずる隙間１６とで被覆片２枚分の厚み（２ｔ）に相当する段差が生ずる（図９）のに対し、上記構成によれば、下段の梱包体２０Ａの上面四隅部には隙間が生じず、上段の梱包体２０Ａの下面四隅部に生ずる隙間１６による被覆片１枚分の厚み（ｔ）に相当する段差に止めることができるので、板材１の撓み量が小さくなり、凹反りの癖がつきにくくすることができる。
【実施例２】
【００１８】
実施例１の梱包材１０では、長辺上面被覆片１１ｂおよび短辺上面被覆片１２ｂが長さ方向両端において約４５度の角度でカットされ、平面視台形状を有するものとして形成されているが、これに代えて、この実施例では、図５に示すように、長辺上面被覆片１１ｂが被梱包物の長辺と略同一の長さ（Ｌａ）を有するように形成すると共に、短辺上面被覆片１２ｂが被梱包物の短辺両側における長辺上面被覆片の折り返し長さ（Ｌｂ×２）分だけ被梱包物の短辺より短い長さを有するように形成されている。
【００１９】
この実施例においても、長辺上面被覆片１１ｂおよび短辺上面被覆片１２ｂを被梱包物の上面１ｃに沿って折り返したときに、四隅部でこれらが重なることなく、これらの端縁同士が略接した状態となるので、梱包体２０Ａ，２０Ｂを堆積したときに生ずる段差が小さくなり、梱包体の撓み量が小さくなるので、梱包されている板材１に凹反りの癖がつきにくくなる効果が同様に発揮される。
【実施例３】
【００２０】
この実施例では、図６に示すように、短辺上面被覆片１２ｂが被梱包物の短辺と略同一の長さを有すると共に、長辺上面被覆片１１ｂが被梱包物の長辺両側における短辺上面被覆片の折り返し長さ分（Ｌｃ×２）だけ被梱包物の長辺（Ｌａ）より短い長さを有するように形成されている。
【００２１】
この実施例においても、長辺上面被覆片１１ｂおよび短辺上面被覆片１２ｂを被梱包物の上面１ｃに沿って折り返したときに、四隅部でこれらが重なることなく、これらの端縁同士が略接した状態となるので、梱包体２０Ａ，２０Ｂを堆積したときに生ずる段差が小さくなり、梱包体の撓み量が小さくなるので、梱包されている板材１に凹反りの癖がつきにくくなる効果が同様に発揮される。
【００２２】
以上に実施例を挙げて本発明を詳述したが、本発明はこれに限定されるものではなく、特許請求の範囲に記載された発明の範囲内において様々に変更ないし変形して実施可能である。この梱包材１０で梱包する被梱包物は、実施例で説明したような床板などの板材を複数枚積層した板材積層体に限定されず、平面視略矩形状を有するものであれば、単一であると複数の積層体であるとを問わない。
【符号の説明】
【００２３】
１  被梱包物（板材）
１ａ  長辺
１ｂ  短辺
１ｃ  上面
１ｄ  下面
１０  梱包材
１１  長辺被覆部
１１ａ  長辺側面被覆部
１１ｂ  長辺上面被覆部
１１ｃ  長辺下面被覆部
１２  短辺被覆部
１２ａ  短辺側面被覆部
１２ｂ  短辺上面被覆部
１２ｃ  短辺下面被覆部
１３  開放部分
１４  結束バンド
２０（２０Ａ，２０Ｂ） 梱包体
【図１】
2018043787.tif 000003
【図２】
2018043787.tif 000004
【図３】
2018043787.tif 000005
【図４】
2018043787.tif 000006
【図５】
2018043787.tif 000007
【図６】
2018043787.tif 000008
【図７】
2018043787.tif 000009
【図８】
2018043787.tif 000010
【図９】
2018043787.tif 000011